(57)【要約】【課題】  地震等の災害が生じた場合の緊急情報は情報を必要とする地域を選択する事ができない為、真に必要な情報が得られないという可能性があった。【解決手段】統制局と無線端末局と放送局とを有し、前記無線端末局は、所定の情報を計測する計測器を具備し、前記測定器により測定された情報を取得すると前記統制局へ前記情報を送信し、前記統制局は、前記無線端末局より前記測定された情報を受信すると前記放送局へ前記情報を送信し、前記放送局は、前記統制局から前記情報を受信するための受信部と、該受信部から前記情報を所定の項目別に分けて記憶する記憶部と、該記憶部に記憶された前記情報をデジタル放送用の情報に加工する加工部と、前記加工部により加工された情報を送信する送信部とを具備し、前記放送局は、前記統制局より所定の通知を受けると前記加工された情報が記憶された記憶部に接続するための情報を送信する無線通信システム。【選択図】  図１
2009033578.tif 000002
【特許請求の範囲】
【請求項１】
少なくとも統制局と、無線端末局と、デジタル放送を放送する放送局とを有し、
前記無線端末局は、所定の情報を計測するための計測器を具備し、
前記測定器により測定された情報を取得すると、前記統制局へ前記情報を送信し、
前記統制局は、前記無線端末局より前記測定された情報を受信すると前記放送局へ前記情報を送信し、
前記放送局は、前記統制局から前記情報を受信するための受信部と、
該受信部から前記情報を所定の項目別に分けて記憶する記憶部と、
該記憶部に記憶された前記情報をデジタル放送用の情報に加工するための加工部と、
前記加工部により加工された情報を送信する送信部と、を具備し、
前記放送局は、前記統制局より所定の通知を受けると前記加工された情報が記憶された記憶部に接続するための情報を送信する、
ことを特徴とした無線通信システム。
【発明の詳細な説明】
【技術分野】
【０００１】
本発明は、無線通信システムに関し、特に防災無線における無線通信システムおよび無線通信システムの災害状況問合せ方法に関するものである。
【背景技術】
【０００２】
従来、指令台のような上位装置、基地局または中継局および無線端末装置から構成される無線通信システムとして、例えば消防無線や県市町村防災無線といった無線通信システムがある。
このような無線通信システムでは、所定の場所に各種テレメータや監視カメラを設けており、上記基地局や中継局を介して上位装置へ情報を通知している。上位装置ではテレメータより受信した各種情報により無線通信システムへ指令を送出する。
また、テレメータより受信した情報をデジタル放送を放送する放送局に送信し、デジタル放送受信機にテレメータより受信した情報を表示させている。このような無線通信システムとして例えば特許文献１及び特許文献２がある。
【０００３】
【特許文献１】特開２００６−２３４６５４号公報
【特許文献２】特開２００６−２４５６５２号公報
【発明の開示】
【発明が解決しようとする課題】
【０００４】
上記従来の無線通信システムでは、例えば地震や水害などの災害が生じた場合の緊急情報はある特定の地域の情報しか得る事ができず、情報を必要とする地域を選択する事ができないため、真に必要な情報が得られないという可能性があった。
【０００５】
本発明は、上述したような課題を解決するために為されたもので、防災無線システムにおける一斉通報をトリガとして、防災無線システムからの各種データを地上デジタル放送を利用して通信可能にすることで、種々のデータの中から真に必要な情報を得る事ができる無線通信システムを提供することを目的とする。
【課題を解決するための手段】
【０００６】
上記目的を達成するために、請求項１に記載の無線通信システムは、少なくとも統制局と、無線端末局と、デジタル放送を放送する放送局とを有し、前記無線端末局は、所定の情報を計測するための計測器を具備し、前記測定器により測定された情報を取得すると、前記統制局へ前記情報を送信し、前記統制局は、前記無線端末局より前記測定された情報を受信すると前記放送局へ前記情報を送信し、前記放送局は、前記統制局から前記情報を受信するための受信部と、該受信部から前記情報を所定の項目別に分けて記憶する記憶部と、該記憶部に記憶された前記情報をデジタル放送用の情報に加工するための加工部と、前記加工部により加工された情報を送信する送信部と、を具備し、前記放送局は、前記統制局より所定の通知を受けると前記加工された情報が記憶された記憶部に接続するための情報を送信することを特徴とする。
【発明の効果】
【０００７】
本発明によれば、防災無線システムにおける一斉通報をトリガとして、防災無線システムからの各種データを地上デジタル放送を利用して通信可能にすることで、種々のデータの中から真に必要な情報を得る事ができる無線通信システムを提供することができる。
【発明を実施するための最良の形態】
【０００８】
以下に本発明の実施形態について図面を用いて説明する。図１は本発明の無線通信システムにおける一実施例の概略構成を示したブロック図である。
図１において、１０１は各無線端末装置に指令を出力するセンタ局、１０２は基地局無線送受信装置、１０３は基地局無線送受信装置１０２に設けられた制御部、１０４は基地局無線送受信装置１０２に設けられている無線部、１０５は基地局無線送受信装置１０２に設けられたアンテナ、１０６は指令卓、１０７は文字伝送装置、１０８はテレメータ収集親局装置、１０９−１、１０９−ｎは無線端末局装置、１１０は無線端末局本体（以下、無線端末局とする）、１１１は端末局１１０に設けられている制御部、１１２は無線端末局１１０に設けられている無線部、１１３は無線端末局１１０のアンテナ、１１４は制御部１１１に接続されている文字表示装置、１１５は制御部１１０に接続されている音声合成装置、１１６はスピーカ、１１７は水位計などのテレメータ、１１８は無線端末局装置１０９−１、１０９−ｎと他の構成部１１４〜１１７とを接続するインタフェースである接続ボックス、１１９−１、１１９−ｎは戸別受信機、１２０は放送局、１２１は防災システムより送信されてくるデータの防災情報受信部、１２２は防災システムより送信されてくるデータをデジタル放送用のデータに加工するためのデータ加工部、１２３はデータ加工部１２２で加工されたデータをデジタル放送用のデータを蓄積するための市町村別データベース、１２４は市町村別データベース１２３によって蓄積されたデータおよび市町村別データベース１２３にアクセスするためのＵＲＬ情報を送信するデジタル放送送信部、１２５はデジタル放送送受信部１２４に接続されたアンテナ、１２６は無線通信を受信するための受信部、１２７は受信部１２６に接続されたアンテナ、１２８−１、１２８−２、１２８−ｎはデジタル放送受信機である。
ここでは説明の簡略化の為に、無線端末局装置を代表して称する時には無線端末局装置１０９、戸別受信機を代表して称する時には戸別受信機１１９、デジタル放送受信機を代表して称する時にはデジタル放送受信機１２８として説明する。
【０００９】
本発明の動作の一例について図２および図３を用いて説明する。
図２は本発明の動作を示したシーケンス図であり、図３は本発明のデジタル受信装置の表示画面を示した例である。
図２において、まず、各無線端末局装置１０９に設けられているテレメータ１１７より種々の測定結果がデータとして無線端末局装置１０９へ送信される。このとき無線端末局装置１０９に設けられているテレメータは、地震計や水位計など、どのようなものでもよく、また、テレメータに限らず、監視カメラなどの動画や静止画を撮影できるものでも良い。
テレメータ１１７から情報を取得した無線端末局装置１０９は、取得したデータをセンタ局１０１へ送信する。センタ局１０１では受信した情報または動画または静止画像を所定の放送局１２０へと送信する。
放送局１２０では各市町村より送信されてきたテレメータ情報及び動画または静止画像情報を放送局内に設置されているデジタル放送用データ加工部１２２にてデジタル放送用に加工される。加工されたデータは、市町村別データベース１２３へ記憶し、蓄積する。センタ局１０１より一斉通信等の緊急通信が発令されると、緊急通信信号が放送局１２０へ出力され、当該信号を受信した放送局１２０は、デジタル放送により、各市町村の測定データや動画または静止画像が記憶されている市町村別データベース１２３にアクセスするためのＵＲＬをデジタル放送受信機１２８へ送信する。
【００１０】
放送局１２０から送信された市町村別データベース１２３にアクセスするためのＵＲＬを受信したデジタル放送受信機１２８では、受信したＵＲＬを受信し、例えば図３（ａ）や図３（ｂ）のように表示する。ここで、例えば図３（ａ）は災害の安否情報が格納されているデータベースのＵＲＬを表示し、図３（ｂ）では洪水に関する情報が格納されているデータベースのＵＲＬを表示している。デジタル放送受信機１２８の操作者は、これら表示されたＵＲＬを選択すると、その後、どの地域のデータベースにアクセスするかを選択することで、所望の市町村の情報や動画または静止画を表示する事が可能となる。
【００１１】
次に本発明について具体的な使用例について説明する。
無線端末局装置１０９に接続されている水位計等のテレメータ１１７は、緊急性の無い通常時のデータを予め定められたタイミングや、センタ局１０１からのデータ送信信号等によって、それまで測定していた各種測定情報を端末局本体１１０を介してセンタ局１０１に送信している。センタ局１０１では例えば無線端末局装置１０９−１より送信されてきたテレメータ測定情報や静止画像または動画像情報をテレメータ情報収集親局装置１０８に集められ、各種情報が蓄積される。テレメータ情報収集親局装置１０８には、所定の放送局１２０に設置されている防災システムからの各種情報受信用の防災情報受信部１２１が接続されており、テレメータ情報収集親局装置１０８に蓄積されている各種データを受信する。受信部１２１で受信した各種データはデジタル放送用データ加工部１２２によってデジタル放送用のデータに加工され、各市町村別テレメータ情報及び静止画像情報及び動画像情報を蓄積しておく市町村別データベース１２３に蓄積される。市町村別データベース１２３では、予め指定した市町村、例えば防災無線システムが設けられている市区町村に関するデータ毎にテレメータ情報、静止画像情報、動画像情報等が記憶されている。
【００１２】
ここで、例えば台風や大雨などにより無線端末局装置１０９−１に接続されている水位系等のテレメータ１１７の測定数値が、例えば川の氾濫の恐れがあるといった緊急性があると判断される規定の数値を超えた時、センタ局１０１は、注意喚起を行うため、無線端末局装置１０９や戸別受信機１１９に対し一斉通信を行う。センタ局１０１からの一斉通信を受信した各無線端末局装置１０９は、例えば受信した通信内容を音声合成装置１１５により音声合成し、スピーカ１１６にて拡声通報したり、一斉通信内容を文字表示装置１１４にて表示することで、周囲に注意喚起を促す。
このとき無線端末局装置１０９は一斉通信の内容を周囲に通知後、その状況に応じて一斉通信の通報完了信号をセンタ局へと送信することがある。
また、一斉通信を受信した戸別受信機１１９についても、無線端末局装置１０９同様、受信した通信内容を表示したり、拡声通報したりする。
【００１３】
次に、センタ局１０１により一斉通信が発令されたことを受けた放送局１２０は、予め設けてあった市町村別データベース１２３へアクセスするためのＵＲＬ情報を、例えば無線通信によってデジタル放送受信機１２８に対し送信する。ここで、例えばデジタル放送受信機１２８−１の操作者は、受信したデータを表示することで市町村別データベース１２２へのアクセスＵＲＬを表示し、表示されたＵＲＬを選択することで自身が所望する市町村の各種データを取得する画面に移動する。その後、デジタル放送受信機１２８−１の操作者は、表示された画面の内容に従い、データを所望する市町村を決定し、放送局１２０へ通知する。放送局１２０ではデジタル放送受信機１２８−１の操作者から送られてきたデジタル放送受信機１２８−1の操作者が所望する市町村に関する通知を受信すると、市町村別データベース１２３からデジタル放送用に加工された各種データを読み出し、デジタル放送送信部１２４およびアンテナ１２５を介してデジタル放送受信機１２８−１に対して、選択された市町村のデータが送信されることとなる。
尚、上記実施例では、説明の簡略化のために放送局の受信部に接続されているセンタ局のテレメータ収集親局は１つであるが、複数の市町村に跨って各防災無線システムのセンタ局にあるテレメータ収集親局と接続することで、複数の市町村の情報を得る事としても良く、また、上記実施例では、統制局より送信された各種防災情報は受信後にデジタル放送用のデータに加工されているが、放送局の防災情報受信機で受信された後に一度市町村別データベースに記憶させ、その後にデジタル放送用のデータに加工しても良い。また、デジタル放送を受信するための手段は受信専用機のみではなく、送受信機でも良いことは言うまでも無い。
【００１４】
以上のように、本発明の実施の形態によると、デジタル放送受信機に所定のデータベースへ接続するデータを表示させ、デジタル放送受信機の操作者が所望する地域を選択させることによって、特定のエリアの防災情報のみではなく、デジタル放送受信機の操作者が所望する地域のデータを取得する事が可能となる。
【００１５】
また、本発明の実施の形態によると、防災無線システムの機能の１つである一斉通報をトリガに、各地域の情報をデジタル放送にて放送することで、防災無線では通知できないような場所にいる人に確実に防災情報を通知することが可能となる。
【図面の簡単な説明】
【００１６】
【図１】本発明における無線通信システムの一実施例の概略構成を示したブロック図。
【図２】本発明における動作を示したシーケンス図。
【図３】本発明のデジタル放送受信機の表示画面の一実施例を示した図。
【符号の説明】
【００１７】
１０１・・・センタ局、
１０２・・・基地局無線送受信装置、
１０３、１１１・・・制御部、
１０４、１１２・・・無線部、
１０５、１１３、１２５、１２７・・・アンテナ、
１０６・・・指令卓、
１０７・・・文字伝送装置、
１０８・・・テレメータ収集親局装置、
１０９・・・無線端末局装置、
１１０・・・無線端末局本体、
１１４・・・文字表示装置、
１１５・・・音声合成装置、
１１６・・・スピーカ、
１１７・・・テレメータ、
１１８・・・接続ボックス、
１１９・・・戸別受信機、
１２０・・・放送局、
１２１・・・防災情報受信部、
１２２・・・データ加工部、
１２３・・・市町村別データベース、
１２４・・・デジタル放送送信部、
１２６・・・受信部、
１２８・・・デジタル放送受信機。
【図１】
2009033578.tif 000003
【図２】
2009033578.tif 000004
【図３】
2009033578.tif 000005